(57)【特許請求の範囲】
【請求項１】
ゼンマイと、輪列を介して伝達されるゼンマイの機械エネルギを電気エネルギに変換する発電機と、前記発電機で変換された電気エネルギを充電する平滑用コンデンサと、前記輪列に結合された指針と、変換された前記電気エネルギにより駆動されて前記発電機の回転周期を制御する回転制御部と、針合せ操作を行う竜頭と、水晶振動子を用いた水晶発振回路と、前記発電機が停止される前記竜頭の針合わせ操作時には前記平滑用コンデンサと前記発振回路とを切断させ、前記竜頭による前記針合せ終了の復帰操作時には前記平滑用コンデンサと前記発振回路とを接続させるスイッチとを備え、
前記回転制御部は、前記水晶発振回路と、この水晶発振回路の発振能力を定常運転時よりも向上させる水晶発振能力向上手段と、前記水晶発振回路を発振能力を向上させた高発振状態および定常運転状態のいずれか一方に切り替える切替手段とを備えて前記水晶発振回路を利用して作動され、
前記切替手段は、前記針合わせ操作からの復帰操作時には、前記水晶発振能力向上手段を用いて前記水晶発振回路を前記高発振状態とし、その後、予め設定された所定時間経過後、あるいは前記水晶振動子が安定して発振していることが確認された後には、前記水晶発振回路を定常運転状態に切り替えるように構成されていることを特徴とする電子制御式機械時計。
【請求項２】
請求項１に記載の電子制御式機械時計において、前記水晶発振能力向上手段は、前記水晶発振回路に定常運転時よりも高い電圧を加える高電圧印可手段によって構成されていることを特徴とする電子制御式機械時計。
【請求項３】
請求項２に記載の電子制御式機械時計において、前記高電圧印可手段は、複数のコンデンサと、これらのコンデンサを並列接続状態と直列接続状態とに切り替える回路制御手段と、前記コンデンサと水晶発振回路との接続を断続するスイッチとで構成されていることを特徴とする電子制御式機械時計。
【請求項４】
請求項１〜３のいずれかに記載の電子制御式機械時計において、前記切替手段は、水晶振動子の発振状態を検出する水晶発振検出手段を備えるとともに、発電機が停止される針合わせ操作からの復帰操作時には、前記水晶発振回路を高発振状態とし、その後、前記水晶発振検出手段により水晶振動子の安定発振が検出されたなら前記水晶発振回路を定常運転状態に切り替えるように構成されていることを特徴とする電子制御式機械時計。
【発明の詳細な説明】
【０００１】
【発明の属する技術分野】
本発明は、ゼンマイが開放する時の機械エネルギを発電機で電気エネルギに変換し、その電気エネルギにより回転制御手段を作動させて発電機の回転周期を制御することにより、輪列に固定される指針を正確に駆動する電子制御式機械時計に関する。
【０００２】
【従来の技術】
ゼンマイが開放する時の機械エネルギを発電機で電気エネルギに変換し、その電気エネルギにより回転制御手段を作動させて発電機のコイルに流れる電流値を制御することにより、輪列に固定される指針を正確に駆動して正確に時刻を表示する電子制御式機械時計として、特開平８−５７５８号公報に記載されたものが知られている。
【０００３】
この際、発電機による電気エネルギを一旦、平滑用コンデンサに供給し、このコンデンサからの電力で回路制御手段を駆動しているが、このコンデンサには発電機の回転周期と同期した交流の起電力が入力されるため、ＩＣや水晶振動子を備える回路制御手段の動作を可能とするための電力を長期間保持する必要がなかった。このため、従来は、ＩＣや水晶振動子を数秒程度動作可能な静電容量の比較的小さなコンデンサが用いられていた。
【０００４】
この電子制御式機械時計は、指針の駆動をゼンマイを動力源とするためにモータが不要であり、部品点数が少なく安価であるという特徴がある。その上、電子回路を作動させるのに必要な僅かな電気エネルギを発電するだけでよく、少ない入力エネルギで時計を作動することもできた。
【０００５】
【発明が解決しようとする課題】
しかしながら、電子制御式機械時計は、以下の課題を有している。すなわち、通常は竜頭を引き出して行う針合わせ（時刻合わせ）を行う場合、正確に時刻を合わせられるように、時、分、秒の各指針を停止させていた。指針を停止することは、輪列を停止させることになるため、発電機も停止されていた。
【０００６】
このため、発電機から平滑用コンデンサへの起電力の入力が停止する一方で、ＩＣは駆動し続けるため、コンデンサに蓄えられた電荷はＩＣ側に放電されて端子電圧が低下し、その結果、回路制御手段も停止してしまうとともに、コンデンサも完全に放電されていた。
【０００７】
そして、針合わせを終えて竜頭を押し込み、発電機が回転を開始してコンデンサを充電し、回路制御手段のＩＣを駆動した場合でも、水晶振動子は電圧を加えてから安定して発振信号を出すまでに少々の時間を必要するため、水晶振動子が安定するまでに時間がかかり、その間は正確な時間制御を行えないという問題があった。
【０００８】
本発明の目的は、針合わせ時等で発電機が停止した状態からの復帰時に、発振回路から安定した発振信号を出力するまでの時間を短縮でき、回路制御手段を迅速にかつ安定して駆動できて立上り時の誤差を少なくでき、正確な針合わせを行うことができる電子制御式機械時計を提供することにある。
【０００９】
【課題を解決するための手段】
本発明の電子制御式機械時計は、ゼンマイと、輪列を介して伝達されるゼンマイの機械エネルギを電気エネルギに変換する発電機と、前記発電機で変換された電気エネルギを充電する平滑用コンデンサと、前記輪列に結合された指針と、変換された前記電気エネルギにより駆動されて前記発電機の回転周期を制御する回転制御部と、針合せ操作を行う竜頭と、水晶振動子を用いた水晶発振回路と、前記発電機が停止される前記竜頭の針合わせ操作時には前記平滑用コンデンサと前記発振回路とを切断させ、前記竜頭による前記針合せ終了の復帰操作時には前記平滑用コンデンサと前記発振回路とを接続させるスイッチとを備え、前記回転制御部は、前記水晶発振回路と、この水晶発振回路の発振能力を定常運転時よりも向上させる水晶発振能力向上手段と、前記水晶発振回路を発振能力を向上させた高発振状態および定常運転状態のいずれか一方に切り替える切替手段とを備えて前記水晶発振回路を利用して作動され、前記切替手段は、前記針合わせ操作からの復帰操作時には、前記水晶発振能力向上手段を用いて前記水晶発振回路を前記高発振状態とし、その後、予め設定された所定時間経過後、あるいは前記水晶振動子が安定して発振していることが確認された後には、前記水晶発振回路を定常運転状態に切り替えるように構成されていることを特徴とするものである。
【００１０】
この際、前記水晶発振能力向上手段としては、前記水晶発振回路に定常運転時よりも高い電圧を加える高電圧印可手段や、前記水晶発振回路に設けられた定常運転時用の第１の発振インバータに対して電流を流す能力が高い第２の発振インバータによって構成されていることが好ましい。
【００１１】
水晶発振回路に高電圧を印可する高電圧印可手段や、能力の高い第２の発振インバータ等からなる水晶発振能力向上手段を設けたので、発電機が停止される針合わせ操作からの復帰時において、前記水晶発振回路を駆動する際に、水晶発振能力向上手段を用いて高発振状態とすることで、水晶発振回路が安定した発振信号を出力するまでの時間を従来に比べて短縮することができる。これにより、回路制御部を迅速にかつ安定して駆動できて立上り時の誤差を少なくでき、正確な針合わせを行うことができる。
【００１２】
さらに、切替手段を備えることで、水晶発振回路が安定した発振信号を出力した後には、水晶発振回路を前記水晶発振能力向上手段を用いた高発振状態から定常運転状態に切り替えることができ、消費電力が大きくなる高発振状態を最小限の時間に押さえることができ、省エネルギー化をはかることもできる。
【００１３】
また、前記高電圧印可手段は、複数のコンデンサと、これらのコンデンサを並列接続状態と直列接続状態とに切り替える回路制御部と、前記コンデンサと水晶発振回路との接続を断続するスイッチとで構成されていることが好ましい。
【００１４】
このように構成された高電圧印可手段では、コンデンサの接続状態を回路制御部で切り替えることで、印可電圧の大きさを制御できるため、構成が簡易になり、かつ定常値の数倍という大きな電圧を印可することができる。さらに、コンデンサと水晶発振回路とを断続するスイッチを設けたので、発電機が停止している間もコンデンサを充電状態に維持しておくことができ、発電機の立上り時にスイッチを接続してコンデンサに充電された電力を水晶発振回路に即座に供給することができる。
【００１８】
以上の各発明において、前記水晶発振能力向上手段は、発電機が停止される針合わせ操作からの復帰操作時に用いられ、その後、予め設定された所定時間経過後には、切替手段によって定常運転状態や水晶発振回路に切り替えられることが好ましい。
【００１９】
また、切替手段に、水晶振動子の発振状態を検出する水晶発振検出手段を設け、発電機が停止される針合わせ操作からの復帰操作時に用いた水晶発振能力向上手段を、水晶発振検出手段によって水晶振動子の安定発振が検出されたら、切替手段によって定常運転状態や水晶発振回路に切り替えてもよい。
【００２０】
【発明の実施の形態】
以下に、本発明の実施形態を図面に基づいて説明する。
【００２１】
図１は、本発明の第１実施形態の電子制御式機械時計の要部を示す平面図であり、図２及び図３はその断面図である。
【００２２】
電子制御式機械時計は、ゼンマイ１ａ、香箱歯車１ｂ、香箱真１ｃ及び香箱蓋１ｄからなる香箱車１を備えている。ゼンマイ１ａは、外端が香箱歯車１ｂ、内端が香箱真１ｃに固定される。香箱真１ｃは、地板２と輪列受３に支持され、角穴車４と一体で回転するように角穴ネジ５により固定されている。
【００２３】
角穴車４は、時計方向には回転するが反時計方向には回転しないように、こはぜ６と噛み合っている。なお、角穴車４を時計方向に回転しゼンマイ１ａを巻く方法は、機械時計の自動巻または手巻機構と同様であるため、説明を省略する。
【００２４】
香箱歯車１ｂの回転は、７倍に増速されて二番車７へ、順次６．４倍増速されて三番車８へ、9.375 倍増速されて四番車９へ、３倍増速されて五番車１０へ、１０倍増速されて六番車１１へ、１０倍増速されてロータ１２へと、合計１２６，０００倍の増速をしている。
【００２５】
二番車７には筒かな７ａが、筒かな７ａには分針１３が、四番車９には秒針１４がそれぞれ固定されている。従って、二番車７を１ｒｐｈで、四番車９を１ｒｐｍで回転させるためには、ロータ１２は５ｒｐｓで回転するように制御すればよい。このときの香箱歯車１ｂは、１／７ｒｐｈとなる。
【００２６】
この電子制御式機械時計は、ロータ１２、ステータ１５、コイルブロック１６から構成される発電機２０を備えている。ロータ１２は、ロータ磁石１２ａ、ロータかな１２ｂ、ロータ慣性円板１２ｃから構成される。ロータ慣性円板１２ｃは、香箱車１からの駆動トルク変動に対しロータ１２の回転数変動を少なくするためのものである。ステータ１５は、ステータ体１５ａに４万ターンのステータコイル１５ｂを巻線したものである。
【００２７】
コイルブロック１６は、磁心１６ａに１１万ターンのコイル１６ｂを巻線したものである。ここで、ステータ体１５ａと磁心１６ａはＰＣパーマロイ等で構成されている。また、ステータコイル１５ｂとコイル１６ｂは、各々の発電電圧を加えた出力電圧がでるように直列に接続されている。
【００２８】
次に、電子制御式機械時計の制御回路について、図４を参照して説明する。
【００２９】
発電機２０からの交流出力は、昇圧コンデンサ２１，ダイオード２２，２３からなる昇圧整流回路を通して昇圧、整流されて平滑用コンデンサ３０に充電される。コンデンサ３０は、比較的容量の小さな複数のコンデンサ３０Ａ，３０Ｂによって構成されている。これらの各コンデンサ３０Ａ，３０Ｂには、竜頭操作に応じて断続するメカあるいは電子的なスイッチ３１を介して、ＩＣ５１および水晶振動子５２を備える回転制御部５０が接続されている。なお、水晶振動子５２と、ＩＣ５１内に設けられた発振インバータや帰還抵抗とによって水晶発振回路５５が形成されている。
【００３０】
そして、コンデンサ３０Ａ，３０Ｂに、ＩＣ５１および水晶振動子５２を駆動可能な所定電圧、例えば、１Ｖの電圧が蓄えられると、その蓄電力でＩＣ５１および水晶振動子５２が駆動され、発電機２０のコイルに流れる電流量を、ＩＣ５１内の可変抵抗手段の抵抗値を制御することで調整し、それによって生じる電磁ブレーキ量で発電機２０つまり指針の回転周期を調速している。
【００３１】
なお、コイルに流れる電流量を可変する手段としては、特開平８−１０１２８４号公報の実施例１に記載されるような、発電機２０両端と並列に接続された負荷制御回路の抵抗を可変する方法や、実施例２に記載されるような、昇圧段数を可変する方法等が有効である。
【００３２】
また、回転制御部５０には、図５に示すように、竜頭６０の操作に連動して作動される切替手段４０と、この切替手段４０からの指示に応じて前記コンデンサ３０Ａ，３０Ｂの接続を直列および並列に切り替える回路制御手段３２とが設けられている。従って、コンデンサ３０Ａ，３０Ｂ、スイッチ３１、回路制御手段３２により、水晶発振能力向上手段である高電圧印可手段３３が構成されている。
【００３３】
このような本実施形態において、定常運転時には、図５に示すように各コンデンサ３０Ａ，３０Ｂは並列に接続され、かつスイッチ３１も接続されて回転制御部５０の水晶発振回路５５に電力を供給している。
【００３４】
そして、針合わせを行うために竜頭６０を引き出して指針を停止させると、発電機２０も停止する。この際、図６に示すように、発電機２０が停止する直前に、回路制御手段３２によってコンデンサ３０Ａ，３０Ｂは直列に接続され、その後、切替手段４０によってスイッチ３１が切断される。スイッチ３１が切断されることにより、水晶発振回路５５側に電流が流れないため、各コンデンサ３０Ａ，３０Ｂは充電された状態に維持される。
【００３５】
そして、針合わせ操作が終了して竜頭６０を押し込むと、図７に示すように、切替手段４０によってスイッチ３１が接続され、直列に接続されたコンデンサ３０Ａ，３０Ｂから通常の２倍の電圧が水晶発振回路５５に印可される。これにより、水晶振動子５２の起動性が向上し、水晶発振回路５５が高発振状態とされてその安定発振までの時間が短縮される。
【００３６】
そして、スイッチ３１が接続されてから予め設定された所定時間経過後、あるいは水晶振動子５２の安定発振が確認されたら、切替手段４０は回路制御手段３２によってコンデンサ３０Ａ，３０Ｂを並列に戻し、水晶発振回路５５を図５に示すような定常運転状態に切り替える。
【００３７】
このような本実施形態によれば、次のような効果がある。
【００３８】
丸１  水晶発振回路５５の起動時に、高電圧印加手段３３によって水晶発振回路５５に定常時の２倍もの高電圧を印加しているので、水晶発振回路５５の起動性を向上でき、安定して発振するまでの時間を従来に比べて短縮することが出来る。これにより回転制御部５０が駆動するまでの時間を短縮でき、立上り時の誤差の発生を小さくできて針合わせを正確に行うことができる。
【００３９】
▲２▼高電圧印可手段３３を、コンデンサ３０Ａ，３０Ｂ、スイッチ３１、回路制御手段３２によって構成し、コンデンサ３０Ａ，３０Ｂを直列もしくは並列に接続することで、水晶発振回路５５に印可する電圧の大きさを制御しているので、構成を簡易にでき、コストも安価にできる。その上、各コンデンサ３０Ａ，３０Ｂを直列にすることで、定常運転時の２倍と大きな電圧を水晶発振回路５５に容易に印可できるので、水晶発振回路５５の発振起動性を著しく向上できる。
【００４０】
▲３▼また、高電圧印可手段３３にスイッチ３１を設け、針合わせ操作で発電機２０が停止する直前にスイッチ３１を切断しているので、発電機２０が停止している間も各コンデンサ３０Ａ，３０Ｂを充電状態に維持できる。特に、針合わせ操作程度の短い時間であれば、自己放電も殆ど無く、針合わせ操作から復帰してスイッチ３１が接続された際に、十分な電力を水晶発振回路５５に印可することができる。
【００４１】
▲４▼さらに、切替手段４０によって水晶振動子５２が安定発振した後は、各コンデンサ３０Ａ，３０Ｂを並列接続に戻しているので、水晶発振回路５５に高電圧が長時間印可されることを防止できるとともに、消費電力も低減できて省エネルギー化をはかることができる。
【００４２】
次に本発明の第２実施形態について説明する。なお、以下の各実施形態において、前述の各実施形態と同一もしくは同様の構成部分には、同一符号を付し、説明を省略あるいは簡略する。
【００４３】
本実施形態は、水晶発振能力向上手段として、水晶発振回路５５の発振インバータを改良したものを用いたものである。すなわち、図８に示すように、水晶振動子５２、帰還抵抗５６、コンデンサ５７Ａ，５７Ｂを備えた水晶発振回路５５において、発振インバータを定常運転時に利用される第１の発振インバータ５８と、この発振インバータ５８に比べて電流を流す能力に優れ、発振回路５５の起動性を向上できる第２の発振インバータ５９とを並列に接続したものを設けている。この第２の発振インバータ５９によって水晶発振能力向上手段が構成され、第２の発振インバータ５９はスイッチ６１を介して発振インバータ５８に接続されている。
【００４４】
前記スイッチ６１は、メカあるいは電子的なスイッチであり、竜頭６０の操作に連動して切替手段４０によって断続される。
【００４５】
この水晶発振回路５５からの発振信号は、発振信号をある一定周期、例えば１秒周期まで分周して基準周期信号として出力する分周回路５３に入力されている。
【００４６】
このような本実施形態においては、定常運転時には、切替手段４０によってスイッチ６１が切断され、水晶発振回路５５は第１の発振インバータ５８のみを用いて作動される。
【００４７】
そして、針合わせを行うために竜頭６０を引き出して指針を停止させると、発電機２０も停止し、水晶発振回路５５も停止する。この際、切断されていたスイッチ６１は切替手段４０によって接続される。これにより、能力の高い第２の発振インバータ５９が加わるため、各発振インバータ５８，５９が並列に接続された水晶発振回路５５の発振インバータは、能力が高い高発振状態に設定される。
【００４８】
そして、針合わせ操作が終了して竜頭６０を押し込むと、高発振状態とされた発振インバータ５８，５９が用いられるため、水晶発振回路５５の起動性が向上し、安定発振までの時間が短縮される。
【００４９】
そして、竜頭６０が押し込まれてから予め設定された所定時間経過後、あるいは水晶振動子５２の安定発振が確認されたら、切替手段４０によってスイッチ６１を切断して第１の発振インバータ５８のみの利用に戻し、図８の定常運転状態に切り替える。
【００５０】
このような本実施形態によれば、次のような効果がある。
【００５１】
丸１  水晶発振回路５５の起動時に、切替手段４０によって能力が高い第２の発振インバータ５９を、第１の発振インバータ５８とともに利用するようにしているので、水晶発振回路５５の起動性を向上でき、安定して発振するまでの時間を従来に比べて短縮することができる。これにより回転制御部５０が駆動するまでの時間を短縮でき、立上り時の誤差の発生を小さくできて針合わせを正確に行うことができる。
【００５２】
▲２▼また、従来に比べて、第２の発振インバータ５９およびスイッチ６１と、切替手段４０とを追加するだけでよいので、構成を簡易にでき、コストも安価にできる。
【００５３】
▲３▼さらに、切替手段４０によって、針合わせ操作で発電機２０が停止している間にスイッチ６１を接続して発振インバータの能力を向上させているので、針合わせ操作から復帰した時点から高能力の発振インバータを用いることができ、水晶発振回路５５の起動性をより一層向上することができる。
【００５４】
▲４▼さらに、水晶振動子５２が安定発振した後は、切替手段４０によってスイッチ６１を切断して、第１の発振インバータ５８のみを利用する定常運転状態に戻しているので、消費電力を低減できて省エネルギー化をはかることができる。
【００５５】
次に、本発明に関連する第３実施形態について説明する。
以上
【００５６】
本実施形態は、図９に示すように、回路制御手段５０の発振回路として、水晶発振回路５５のほかに、水晶発振回路５５に比べて起動性に優れた第２の発振回路７０を設けたものである。
【００５７】
すなわち、回転制御手段５０は、水晶振動子５２、帰還抵抗５６、コンデンサ５７Ａ，５７Ｂ、発振インバータ５８からなる水晶発振回路５５と、抵抗７１およびコンデンサ７２を備えたＲＣ発振回路からなる第２の発振回路７０とを備えている。
【００５８】
これらの各発振回路５５，７０は、切替手段４０で制御されるスイッチ７３を介して分周回路５３に接続されている。また、水晶発振回路５５の出力（発振信号）は、切替手段４０内に設けられた水晶発振検出手段である水晶発振検出回路７４に接続され、水晶発振回路５５で安定した発振が行われているかを検出できるように構成されている。
【００５９】
このような本実施形態においては、定常運転時には、切替手段４０によってスイッチ７３が水晶発振回路５５に接続され、回転制御手段５０は水晶発振回路５５を利用して作動される。
【００６０】
そして、針合わせを行うために竜頭６０を引き出して指針を停止させると、発電機２０も停止し、水晶発振回路５５も停止する。この際、竜頭６０の操作に連動して切替手段４０によりスイッチ７３は第２の発振回路７０に接続される。
【００６１】
そして、針合わせ操作が終了して竜頭６０を押し込むと、スイッチ７３が接続された第２の発振回路７０を用いて発振信号が出力されるため、発振回路の起動性が向上し、回転制御手段５０の駆動までの時間が短縮される。
【００６２】
そして、水晶発振検出回路７４によって水晶発振回路５５が安定して発振していることが確認されたら、切替手段４０はスイッチ７３を水晶発振回路５５側に接続し、定常運転状態に切り替える。なお、切替手段４０によるスイッチ７３の制御を、竜頭６０が押し込まれてからの所定時間で制御するようにしてもよい。
【００６３】
このような本実施形態によれば次のような効果がある。
【００６４】
▲１▼回転制御手段５０の立上り時に、切替手段４０によって起動性が良い第２の発振回路７０を利用しているので、安定した発振信号が得られるまでの時間を従来に比べて短縮することができる。これにより回転制御手段５０が駆動するまでの時間を短縮でき、立上り時の誤差の発生を小さくできて針合わせを正確に行うことができる。
【００６５】
▲２▼また、切替手段４０によって、針合わせ操作で発電機２０が停止している間にスイッチ７３を第２の発振回路７０側に接続しているので、針合わせ操作から復帰した時点から起動性の良い第２の発振回路７０を用いることができ、回転制御手段５０の起動性をより一層向上することができる。
【００６６】
▲３▼さらに、水晶発振検出回路７４によって水晶発振回路５５の安定発振が検出された後は、切替手段４０によってスイッチ７３を切り替えて、水晶発振回路５５を利用する定常運転状態に戻しているので、消費電力が高い第２の発振回路７０を長時間利用する必要が無く、消費電力を低減できて省エネルギー化をはかることができる。
【００６７】
なお、本発明は前述の各実施形態に限定されるものではなく、本発明の目的を達成できる範囲での変形、改良等は本発明に含まれるものである。
【００６８】
例えば、水晶発振能力向上手段としては、前記第１および第２実施形態のような高電圧印可手段３３や、第２の発振インバータ５９に限らず、例えば、帰還抵抗５６やコンデンサ５７Ａ，５７Ｂの値を変化させる手段等を用いても良い。
【００６９】
また、高電圧印可手段３３としては、２つのコンデンサ３０Ａ，３０Ｂ、スイッチ３１、回路制御手段３２を備えるものに限らず、例えば、出力電圧値の異なる複数種類の電源を設けて切り替えて出力させてもよい。さらに、コンデンサを用いる場合に、コンデンサの数は２つに限らず、３つ以上でもよい。
【００７０】
また、前記第３実施形態では、第２の発振回路７０として、ＲＣ発振回路を用いていたが、ＬＣ発振回路など他形式の発振回路を用いてもよい。
【００７１】
【発明の効果】
以上に述べたように、本発明によれば、針合わせ時等で発電機が停止した状態からの復帰時に、発振回路から安定した発振信号を出力するまでの時間を短縮でき、回路制御手段を迅速にかつ安定して駆動できて立上り時の誤差を少なくでき、正確な針合わせを行うことができる。
【図面の簡単な説明】
【図１】本発明の第１実施形態における電子制御式機械時計の要部を示す平面図である。
【図２】図１の要部を示す断面図である。
【図３】図１の要部を示す断面図である。
【図４】前記第１実施形態の要部の回路を示す図である。
【図５】前記第１実施形態の回路要部を示す図である。
【図６】図５の次の状態を示す図である。
【図７】図６の次の状態を示す図である。
【図８】本発明の第２実施形態の要部の回路を示す図である。
【図９】本発明の第３実施形態の要部の回路を示す図である。
【符号の説明】
１  香箱車
１ａ  ゼンマイ
１２  指針
１３  分針
１４  秒針
２０  発電機
３０  平滑用コンデンサ
３０Ａ，３０Ｂ  コンデンサ
３１  スイッチ
３２  回路制御手段
３３  高電圧印可手段
４０  切替手段
５０  回転制御手段
５１  ＩＣ
５２  水晶振動子
５５  水晶発振回路
５６  帰還抵抗
５７Ａ，５７Ｂ  コンデンサ
５８  第１の発振インバータ
５９  第２の発振インバータ
６０  竜頭
６１  スイッチ
７０  第２の発振回路
７３  スイッチ
７４  水晶発振検出回路
【図１】
0003674249.tif 000002
【図２】
0003674249.tif 000003
【図３】
0003674249.tif 000004
【図４】
0003674249.tif 000005
【図５】
0003674249.tif 000006
【図６】
0003674249.tif 000007
【図７】
0003674249.tif 000008
【図８】
0003674249.tif 000009
【図９】
0003674249.tif 000010